(57)【要約】【課題】本発明は、ズームレンズ部を遠隔操作する変倍操作ユニットに、エクステンダレンズ部を遠隔操作するスイッチユニットを近接させて取り付けることができるレンズ装置を提供することを目的とする。【解決手段】本発明は、パン棒５０にズームレートデマンドユニット４０を取り付けるためのマウンティング部材５２を利用し、このマウンティング部材５２とズームレートデマンドユニット４０との間でスイッチユニット１１０を挟持させ、スイッチユニット１１０をズームレートデマンドユニット４０に近接させた。【選択図】  図４
2005107049.tif 000002
【特許請求の範囲】
【請求項１】
ズームレンズ部とエクステンダレンズ部とを備えたレンズ装置において、
前記ズームレンズ部を遠隔操作する変倍操作ユニットに、前記エクステンダレンズ部を遠隔操作するスイッチユニットが着脱手段を介して着脱自在に取り付けられたことを特徴とするレンズ装置。
【請求項２】
ズームレンズ部とエクステンダレンズ部とを備えたレンズ装置において、
前記レンズ装置は、パンチルト操作可能な雲台に設置され、
前記雲台の操作棒には、前記ズームレンズ部を遠隔操作する変倍操作ユニットがマウンティング部材を介して取り付けられるとともに、前記エクステンダレンズ部を遠隔操作するスイッチユニットが前記変倍操作ユニットと前記マウンティング部材とに挟まれて取り付けられていることを特徴とするレンズ装置。
【発明の詳細な説明】
【技術分野】
【０００１】
本発明はレンズ装置に係り、特にズームレンズ部とエクステンダレンズ部とを備え、各々のレンズ部を遠隔操作する操作部を備えたレンズ装置に関する。
【背景技術】
【０００２】
特許文献１には、エクステンダレンズ部を内蔵したズームレンズ装置が開示されている。また、特許文献１には、前記エクステンダレンズ部の変倍レンズを、光軸に対して進退移動させる駆動モータを備えたエクステンダ操作装置が着脱自在に設けられたズームレンズ装置が開示されている。更に、特許文献１には、前記エクステンダ操作装置の駆動モータを、スイッチユニットによって遠隔操作する内容も開示されている。
【０００３】
ところで、テレビカメラ用の高倍率のレンズ装置は、重量物であるため三脚の雲台に設置されて使用される場合が多い。このような使用形態では、雲台のパン棒と称される操作棒に、ズームレートデマンドユニットと称される変倍操作ユニットをマウンティング部材を介して取り付け、パン棒を操作するカメラマンの手でズームレートデマンドユニットを操作することにより、レンズ装置のズームレンズ部を遠隔操作している。
【０００４】
なお、特許文献１では、エクステンダ操作装置を遠隔操作するスイッチユニットの取付位置に関しては言及していないものの、このスイッチユニットは専用の取付部材を介して同じくパン棒に取り付けられて操作される。
【特許文献１】特許第２８１７８０５号公報
【発明の開示】
【発明が解決しようとする課題】
【０００５】
ところで、ズームレートデマンドユニット及びスイッチユニットを有する前記従来のズームレンズ装置では、双方の操作が撮影倍率を変更するという光学的には同様の操作であるため、双方のユニットを可能な限り近接させて取り付け、カメラマンの手の位置を変えないで双方のユニットを同時にまた瞬時に切り換えて操作することが、撮影操作上好ましいことが知られている。
【０００６】
しかしながら、前記従来のズームレンズ装置では、ズームレートデマンドユニットにスイッチユニットを接近させて取り付けようとした場合、スイッチユニットをパン棒に取り付けるための専用の取付部材と、ズームレートデマンドユニットをパン棒に取り付けるためのマウンティング部材とがぶつかってしまい、スイッチユニットを近接させて取り付けることができないという問題があった。
【０００７】
本発明はこのような事情に鑑みてなされたもので、ズームレンズ部を遠隔操作する変倍操作ユニットに、エクステンダレンズ部を遠隔操作するスイッチユニットを近接させて取り付けることができるレンズ装置を提供することを目的とする。
【課題を解決するための手段】
【０００８】
本発明は、前記目的を達成するために、ズームレンズ部とエクステンダレンズ部とを備えたレンズ装置において、前記ズームレンズ部を遠隔操作する変倍操作ユニットに、前記エクステンダレンズ部を遠隔操作するスイッチユニットが着脱手段を介して着脱自在に取り付けられたことを特徴とする。
【０００９】
また、本発明は、前記目的を達成するために、ズームレンズ部とエクステンダレンズ部とを備えたレンズ装置において、前記レンズ装置は、パンチルト操作可能な雲台に設置され、前記雲台の操作棒には、前記ズームレンズ部を遠隔操作する変倍操作ユニットがマウンティング部材を介して取り付けられるとともに、前記エクステンダレンズ部を遠隔操作するスイッチユニットが前記変倍操作ユニットと前記マウンティング部材とに挟まれて取り付けられていることを特徴とする。
【００１０】
請求項１に記載の発明によれば、エクステンダレンズ部を遠隔操作するスイッチユニットを、ズームレンズ部を遠隔操作する変倍操作ユニットに着脱手段を介して着脱自在に取り付けたので、変倍操作ユニットにスイッチユニットを近接させて取り付けることができる。これによって、カメラマンは、双方のユニットを同時にまた瞬時に切り換えて操作することが可能になる。
【００１１】
請求項２に記載の発明によれば、雲台の操作棒に変倍操作ユニットを取り付けるためのマウンティング部材を利用し、このマウンティング部材と変倍操作ユニットとの間にスイッチユニットを挟持させ、スイッチユニットを変倍操作ユニットに近接させた。従来では、マウンティング部材が邪魔になりスイッチユニットを変倍操作ユニットに近接させることができなかったが、このように、マウンティング部材と変倍操作ユニットとの間でスイッチユニットを挟持させることにより、スイッチユニットを変倍操作ユニットに近接させることができる。また、スイッチユニットを変倍操作ユニットに取り付けるための専用の取付部材も必要なくなるので、部品点数を削減することもできる。
【発明の効果】
【００１２】
本発明に係るレンズ装置によれば、エクステンダレンズ部を遠隔操作するスイッチユニットを、ズームレンズ部を遠隔操作する変倍操作ユニットに着脱手段を介して着脱自在に取り付けたので、スイッチユニットを変倍操作ユニットに近接させて取り付けることができる。
【００１３】
本発明に係るレンズ装置によれば、変倍操作ユニットとマウンティング部材との間でスイッチユニットを挟持させたので、スイッチユニットを変倍操作ユニットに近接させて取り付けることができる。
【発明を実施するための最良の形態】
【００１４】
以下、添付図面に従って本発明に係るレンズ装置の好ましい実施の形態を詳説する。
【００１５】
図１は、第１の実施の形態のズームレンズ装置１０がカメラ１２のマウント１４に取り付けられ、カメラ１２とともにレンズ支持部材１６を介して三脚１８の雲台２０に設置された状態が示されている。同図に示すカメラ１２は、肩乗せ可能なＥＮＧカメラであり、また、ズームレンズ装置１０は、高倍率で重量物のレンズ装置（例えば、富士写真光機株式会社製、商品名「Ａ３６×１０．５ＢＥＲＤ−Ｅ２８」：エクステンダ切換モータ内蔵型レンズ装置）である。ズームレンズ装置１０及びカメラ１２は、レンズ支持部材１６上において前後、左右、及び上下に相対的に移動されて各々の光軸が合わされている。
【００１６】
ズームレンズ装置１０の内部構造は図示していないが、被写体側からカメラ１２に向かってフォーカスレンズ、ズームレンズ、アイリス、エクステンダレンズ部３０、及びマスターレンズが順に配置されて構成されている。
【００１７】
フォーカスレンズは、図２の如くズームレンズ装置１０の固定鏡胴２２に回動自在に設けられたフォーカスリング２４を回動操作することにより撮影光軸に沿って前後移動される。これにより、被写体の焦点が調節される。
【００１８】
また、ズームレンズは、所定の位置関係をもって撮影光軸方向に移動する変倍系レンズと補正系レンズとからなり、固定鏡胴２２に回動自在に設けられたズームリング２６を回動操作することにより撮影光軸に沿って前後移動される。これにより、被写体の焦点距離が調節される。
【００１９】
更に、アイリスは、アイリスリング２８を回動すると、これと連動して絞り開口を拡縮駆動する虹彩絞り機構を有している。これにより、アイリスリング２８を回動すると、開口径が変更され、絞り値が調節される。
【００２０】
エクステンダレンズ部３０には、ズームレンズ装置１０の光学系によって結像される像の撮影倍率を例えば１倍と２倍とで切り換えるための各倍率に対応したレンズ（以下、これらのレンズを「エクステンダレンズ」と称する）が内蔵され、ドライブユニット３２のモータ（不図示）による駆動力によって、撮影光軸上に挿入されるエクステンダレンズが所望の倍率のエクステンダレンズに切り替えられる。
【００２１】
マスターレンズは、エクステンダレンズから出射された被写体光をカメラ１２のＣＣＤに導くレンズである。なお、ドライブユニット３２は、ズームレンズ装置に着脱自在に装着されるものであり、その上面には、ズームリング２６を回動操作するためのズームシーソレバー３４及びアイリスオート／マニュアル切替スイッチ３６等の複数のスイッチ及びレバーが設けられるとともに、その背面にはエクステンダレンズを１倍と２倍とで切り換えるためのスイッチ３８が設けられている。これらのスイッチ及びレバーによる切換動作は、ドライブユニット３２に内蔵されたモータの駆動力によって各々行われる。
【００２２】
一方、図２に示すようにズームリング２６を遠隔操作するズームレートデマンドユニット（変倍操作ユニット）４０がケーブル４２を介してドライブユニット３２に接続されるとともに、エクステンダレンズ部の前記モータを遠隔操作するスイッチユニット４４がケーブル４６を介してドライブユニット３２に接続される。ズームレートデマンドユニット４０及びスイッチユニット４４は、ケーブル４２、４６の端部に取り付けられたコネクタ４８、４８を介してドライブユニット３２に着脱自在に接続され、接続された場合には、ズームレートデマンドユニット４０及びスイッチユニット４４からの駆動信号が、ドライブユニット３２のズームシーソレバー３４及びスイッチ３８からの駆動信号よりも優先されるように、その駆動回路部が構成されている。
【００２３】
ズームレートデマンドユニット４０は、図１に示すように雲台２０から略水平方向に延設されたパン棒５０の先端部に、マウンティング部材５２を介して着脱自在に取り付けられている。これにより、ズームレートデマンドユニット４０を操作するカメラマンの手によってパン棒５０が操作され、ズームレンズ装置１０及びカメラ１２が雲台２０を介してパンチルト操作される。
【００２４】
マウンティング部材５２は図２に示すように、一対のクランププレート５４、５６及びナット５８等を有している。クランププレート５４、５６の対向面には、パン棒５０に嵌合される溝６０、６２が形成され、これらの溝６０、６２をパン棒５０の所望の位置に嵌合させた後、クランププレート５４、５６をねじ６４、６４によって締結することにより、マウンティング部材５２がパン棒５０に固定される。また、クランププレート５４の上部には貫通孔６６が形成され、この貫通孔６６に、ズームレートデマンドユニット４０に突設されたねじ棒６８を挿入し、ねじ棒６８にワッシャ７０を介してナット５８をねじ込むことにより、ズームレートデマンドユニット４０がマウンティング部材５２を介してパン棒５０に取り付けられる。なお、クランププレート５４とズームレートデマンドユニット４０の対向する取付面には菊座７２、７４が固着されており、菊座７２に対する菊座７４の噛み合い位置を調整することにより、ズームレートデマンドユニット４０がマウンティング部材５２に対して所望の傾斜角度に取り付けられる。
【００２５】
スイッチユニット４４は図２に示すように、箱状に形成されたユニット本体８０及びバンド（着脱部材）８２から構成される。ユニット本体８０の上面には、図３の如くスイッチ８４が設けられ、また、スイッチ８４の切り換えによる撮影倍率を示す「×１」及び「×２」の文字が印字されている。このスイッチ８４による切換信号は図２に示すケーブル４６を介してドライブユニット３２に出力され、これによってエクステンダ切換用モータが駆動され、撮影倍率がスイッチ８４によって選択した倍率に切り換えられる。
【００２６】
バンド８２は、ユニット本体８０の下面に固定されるとともに、左右対称の一対の半円弧状プレート８６、８６を有している。このプレート８６、８６によって、ズームレートデマンドユニット４０の操作用グリップ４１の直近位置にある円筒状胴部４０Ａを把持させ、プレート８６、８６に形成された孔８７に図３のボルト８８を挿入しナット９０によって締結する。これにより、ズームレートデマンドユニット４０の操作用グリップ４１の直近位置にスイッチユニット４４が取り付けられる。
【００２７】
したがって、図１〜図３に示した実施の形態のズームレンズ装置１０によれば、エクステンダレンズ部３０を遠隔操作するスイッチユニット４４を、ズームリング２６を遠隔操作するズームレートデマンドユニット４０にバンド８２を介して着脱自在に取り付けたので、ズームレートデマンドユニット４０にスイッチユニット４４を近接させて取り付けることができる。これによって、カメラマンは、双方のユニット４０、４４を同時にまた瞬時に切り換えて操作することが可能になる。
【００２８】
図４は、第２の実施の形態のズームレンズ装置１００の組立斜視図であり、図１〜図３に示した第１の実施の形態のズームレンズ装置１０と同一若しくは類似の部材については同一の符号を付してその説明は省略する。
【００２９】
図４に示すスイッチユニット１１０は、図５の如くユニット本体８０とＬ字状ブラケット１１２とから構成され、ユニット本体８０の下面にブラケット１１２の上端部が固定されている。また、ブラケット１１２の下部には孔１１４が形成されるとともに、その孔１１４を囲むように菊座１１６、１１８が両面に固着されている。
【００３０】
このスイッチユニット１１０によれば、ズームレートデマンドユニット４０のねじ棒６８を、ブラケット１１２の孔１１４に挿入し、そして、マウンティング部材５２のクランププレート５４の孔６６に挿入し、図４のナット５８にて締結する。これにより、スイッチユニット１１０は、ズームレートデマンドユニット４０に近接して取り付けられる。なお、クランププレート５４の菊座７２とブラケット１１２の菊座１１６の噛み合い位置、及びズームレートデマンドユニット４０の菊座７４とブラケット１１２の菊座１１８の噛み合い位置を調整することにより、スイッチユニット１１０がマウンティング部材５２に対して所望の傾斜角度に取り付けられる。
【００３１】
以上、このように構成されたスイッチユニット１１０によれば、パン棒５０にズームレートデマンドユニット４０を取り付けるためのマウンティング部材５２を利用し、このマウンティング部材５２とズームレートデマンドユニット４０との間にスイッチユニット１１０を挟持させ、スイッチユニット１１０をズームレートデマンドユニット４０に近接させた。従来では、マウンティング部材５２が邪魔になりスイッチユニットをズームレートデマンドユニット４０に近接させることができなかったが、このように、マウンティング部材５２とズームレートデマンドユニット４０との間にスイッチユニット１１０を挟持させることにより、スイッチユニット１１０をズームレートデマンドユニット４０に近接させることができ、また、スイッチユニット１１０をズームレートデマンドユニット４０に取り付けるための専用の取付部材も必要なくなるので、部品点数を削減することもできる。また、ナット５８を取り外せば、パン棒５０から取り外した状態においても、スイッチユニット１１０をズームレートデマンドユニット４０と一体的に取り扱うこともできる。よって、パン棒以外の自由な位置で、スイッチユニット１１０とズームレートデマンドユニット４０とが一体化したユニットを取り扱うことができる。
【００３２】
図６は、スイッチユニット１１０をズームレートデマンドユニット４０に取り付けるマウンティング部材１２０の変形例を示したものであり、図４、図５に示した構造と同一若しくは類似の部材については同一の符号を付してその説明は省略する。
【００３３】
このマウンティング部材１２０は、菊座７２が固着されるとともにねじ棒６８が挿入される孔１２２が形成された支持板１２４と、支持板１２４に接続されて三脚の脚部やペデスタルの固定部（不図示）に着脱自在に取り付けられる取付板１２６から構成される。すなわち、このマウンティング部材１２０は、ズームレートデマンドユニット４０をパン棒５０に取り付けるためのマウンティング部材５２ではなく、ズームレートデマンドユニット４０を三脚の脚部やペデスタルの固定部に着脱自在に取り付けるものであって、カメラマンはその位置に取り付けられたズームレートデマンドユニット４０及びスイッチユニット１１０を同時にまた瞬時に切り換えて操作する。
【図面の簡単な説明】
【００３４】
【図１】第１の実施の形態のズームレンズ装置が三脚に支持された状態を示す全体図
【図２】図１に示したズームレンズ装置の組立斜視図
【図３】図１に示したスイッチユニットの拡大斜視図
【図４】第２の実施の形態のズームレンズ装置の組立斜視図
【図５】図４に示したスイッチユニットの拡大斜視図
【図６】マウンティング部材の変形例を示した拡大斜視図
【符号の説明】
【００３５】
１０、１００…ズームレンズ装置、１２…カメラ、１８…三脚、２０…雲台、３０…エクステンダレンズ部、３２…ドライブユニット、４０…ズームレートデマンドユニット、４４、１１０…スイッチユニット、５０…パン棒、５２、１２０…マウンティング部材、５８…ナット、６８…ねじ棒、８０…ユニット本体、８２…バンド、８４…スイッチ、１１２…ブラケット
【図１】
2005107049.tif 000003
【図２】
2005107049.tif 000004
【図３】
2005107049.tif 000005
【図４】
2005107049.tif 000006
【図５】
2005107049.tif 000007
【図６】
2005107049.tif 000008